(57)【要約】      （修正有）【課題】微細化されたデバイスをプロセスタイムを長くせず、低コストに生み出すことができるリソグラフィ装置を提供する。【解決手段】リソグラフィ装置は、基板に２つの放射ビーム１２，１３を投影することにより基板Ｗの目標領域に平行なラインを露光する露光ユニット１０を含む。２つの放射ビーム１２，１３は互いに干渉して複数のラインを形成するように投影される。露光ユニット１０が基板の目標領域に平行ラインを露光しているときに、アクチュエータ１７が露光ユニットに対して基板Ｗを連続的に移動する。【選択図】図５Ａ
2007305987.tif 000002
【特許請求の範囲】
【請求項１】
基板にパターンを露光するためのリソグラフィ装置であって、
基板を支持する基板支持部と、
２つの放射ビームを互いに干渉させて基板上の各目標領域に平行なラインが露光されるように前記２つの放射ビームを基板に投影する露光ユニットと、
基板の各目標領域に平行なラインを露光しているときに露光ユニットに対して基板支持部を連続的に移動させるアクチュエータと、
を備えることを特徴とするリソグラフィ装置。
【請求項２】
前記アクチュエータは、前記露光ユニットにより露光される平行ラインに平行な方向へと露光中に露光ユニットに対して基板支持部を移動させることを特徴とする請求項１に記載のリソグラフィ装置。
【請求項３】
前記露光ユニットにより基板に投影される２つの放射ビームが連続的であることを特徴とする請求項２に記載のリソグラフィ装置。
【請求項４】
前記露光ユニットにより基板に投影される２つの放射ビームが互いに同期してパルス化されていることを特徴とする請求項２に記載のリソグラフィ装置。
【請求項５】
２つの放射ビームのパルスにより第１の平行ラインが露光される基板上の第１の目標領域と２つのビームの次のパルスにより第２の平行ラインが露光される基板上の第２の目標領域とが隣接するように、基板に投影される２つの放射ビームのパルスレートと前記露光ユニットに対する前記基板支持部の速度とが調整されていることを特徴とする請求項４に記載のリソグラフィ装置。
【請求項６】
２つの放射ビームのパルスにより第１の平行ラインが露光される基板上の目標領域の第１の部分と２つのビームの次のパルスにより第２の平行ラインが露光される基板上の目標領域の第２の部分とが重なるように、基板に投影される２つの放射ビームのパルスレートと前記露光ユニットに対する前記基板支持部の速度とが調整されていることを特徴とする請求項４に記載のリソグラフィ装置。
【請求項７】
前記露光ユニットは、２つのビームのパルスにより平行ラインが露光される基板上の目標領域内部の平行ライン長手方向の放射照度分布が一方の目標領域のうち他方の目標領域とは重なっていない部分よりも重なっている部分において低くなるように構成されていることを特徴とする請求項６に記載のリソグラフィ装置。
【請求項８】
前記露光ユニットは、
２つの放射ビームの一方を調整する第１の照明光学系、及び他方を調整する第２の照明光学系と、
第１及び第２の照明光学系の少なくとも一方の瞳面に設けられており、目標領域内部の平行ライン長手方向の放射照度分布を制御する放射照度分布制御部と、を備えることを特徴とする請求項７に記載のリソグラフィ装置。
【請求項９】
前記アクチュエータは、基板上の第１の目標領域群が露光された後に、平行ラインに平行な方向へと露光ユニットに対して基板支持部を再度移動することにより第２の目標領域群が露光されるように、前記露光ユニットにより露光される平行ラインに垂直な方向へと露光ユニットに対して基板支持部を移動させることを特徴とする請求項２に記載のリソグラフィ装置。
【請求項１０】
基板上の第１及び第２の目標領域群が重なっていることを特徴とする請求項９に記載のリソグラフィ装置。
【請求項１１】
基板上の第１の目標領域群が露光されているときの基板テーブルの露光ユニットに対する移動方向と基板上の第２の目標領域群が露光されているときの基板テーブルの移動方向とが同方向または逆方向であることを特徴とする請求項１０に記載のリソグラフィ装置。
【請求項１２】
基板上の第１及び第２の目標領域群が互いに隣接していることを特徴とする請求項１０に記載のリソグラフィ装置。
【請求項１３】
基板上の第１の目標領域群が露光されているときの基板テーブルの露光ユニットに対する移動方向と基板上の第２の目標領域群が露光されているときの基板テーブルの移動方向とが同方向または逆方向であることを特徴とする請求項１２に記載のリソグラフィ装置。
【請求項１４】
前記アクチュエータは、前記露光ユニットが基板上の目標領域に平行ラインを露光しているときに露光ユニットにより露光される平行ラインに垂直な方向へと露光ユニットに対して基板支持部を移動させることを特徴とする請求項１に記載のリソグラフィ装置。
【請求項１５】
前記露光ユニットにより基板に投影される２つの放射ビームが互いに同期してパルス化されていることを特徴とする請求項１４に記載のリソグラフィ装置。
【請求項１６】
２つの放射ビームのパルスにより平行ラインが露光される基板上の第１の目標領域において２つのビームの次のパルスにより平行ラインが露光される基板上の第２の目標領域に最も近接するラインと、２つのビームの次のパルスにより平行ラインが露光される基板上の第２の目標領域における平行ラインのうち第１の目標領域に最も近接するラインとの間隔が、各目標領域内部の平行ラインのうち互いに隣接するラインの間隔に等しくなるように、基板に投影される２つの放射ビームのパルスレートと基板に露光される平行ラインの空間的分布と前記露光ユニットに対する前記基板支持部の速度とが調整されていることを特徴とする請求項１５に記載のリソグラフィ装置。
【請求項１７】
２つのビームのパルスにより露光される平行ラインのうち少なくとも１本が２つのビームの次のパルスにより露光される平行ラインのうちの１本と基板上の同じ位置に露光されるように、基板に投影される２つの放射ビームのパルスレートと基板に露光される平行ラインの空間的分布と前記露光ユニットに対する前記基板支持部の速度とが調整されていることを特徴とする請求項１５に記載のリソグラフィ装置。
【請求項１８】
前記露光ユニットは、２つのビームのパルスにより露光される平行ラインであって２つのビームの別のパルスにより露光される平行ラインと基板上で同じ位置となる平行ラインの放射照度が２つのビームの単一のパルスにより露光される平行ラインよりも低くなるように構成されていることを特徴とする請求項１７に記載のリソグラフィ装置。
【請求項１９】
前記アクチュエータは、基板上の第１の目標領域群が露光された後に、平行ラインに垂直な方向へと露光ユニットに対して基板支持部を再度移動することにより第２の目標領域群が露光されるように、前記露光ユニットにより露光される平行ラインに平行な方向へと露光ユニットに対して基板支持部を移動させることを特徴とする請求項１４に記載のリソグラフィ装置。
【請求項２０】
基板上の第１及び第２の目標領域群が重なっていることを特徴とする請求項１９に記載のリソグラフィ装置。
【請求項２１】
基板上の第１の目標領域群が露光されているときの基板テーブルの露光ユニットに対する移動方向と基板上の第２の目標領域群が露光されているときの基板テーブルの移動方向とが同方向または逆方向であることを特徴とする請求項２０に記載のリソグラフィ装置。
【請求項２２】
基板上の第１及び第２の目標領域群が互いに隣接していることを特徴とする請求項１９に記載のリソグラフィ装置。
【請求項２３】
基板上の第１の目標領域群が露光されているときの基板テーブルの露光ユニットに対する移動方向と基板上の第２の目標領域群が露光されているときの基板テーブルの移動方向とが同方向または逆方向であることを特徴とする請求項２２に記載のリソグラフィ装置。
【請求項２４】
露光ユニットにより基板に平行ラインが露光されない位置にアクチュエータにより基板支持部が位置決めされたときに露光ユニットからの２つの放射ビームの投影を開始し、
基板上の少なくとも所定数の目標領域が露光ユニットにより露光されるまで露光ユニットに対して基板テーブルを連続的に移動させるように構成されていることを特徴とする請求項１に記載のリソグラフィ装置。
【請求項２５】
平行ラインの露光が基板を露光しなくなるまでは露光ユニットからの２つの放射ビームの投影を継続するとともに露光ユニットに対する基板テーブルを連続的に移動させるように構成されていることを特徴とする請求項１に記載のリソグラフィ装置。
【請求項２６】
露光ユニットが、基板上の目標領域への露光中に少なくとも、基板上に隣接して形成されることとなる第１及び第２のデバイスに対応する基板上の第１及び第２の範囲、及び前記第１及び第２の範囲の間に位置する第３の範囲に平行ラインを露光するように構成されていることを特徴とする請求項１に記載のリソグラフィ装置。
【請求項２７】
露光ユニットが基板全域に平行ラインを露光するように構成されていることを特徴とする請求項２６に記載のリソグラフィ装置。
【請求項２８】
パターンを基板に露光する第２の露光ユニットであって、当該パターンの少なくとも一部が前記第３の範囲全体を実質的に露光するのに使用される第２の露光ユニットをさらに備えることを特徴とする請求項２６に記載のリソグラフィ装置。
【請求項２９】
前記第２の露光ユニットは、基板にパターンを露光するために基板に投影される放射ビームを変調するのに使用される個別制御可能素子アレイを備えることを特徴とする請求項２８に記載のリソグラフィ装置。
【請求項３０】
放射ビームを変調するパターニング用デバイスと、基板にパターンを露光するために変調放射ビームを基板に投影する投影光学系と、を備える第２の露光ユニットをさらに備えることを特徴とする請求項１に記載のリソグラフィ装置。
【請求項３１】
前記パターニング用デバイスは、基板にパターンを露光するために基板に投影される放射ビームを変調するのに使用される個別制御可能素子アレイを備えることを特徴とする請求項３０に記載のリソグラフィ装置。
【請求項３２】
２つの放射ビームを互いに干渉させて基板の目標領域に平行ラインが露光されるよう基板支持部に支持される基板に２つの放射ビームを投影するために露光ユニットを使用することと、
露光ユニットにより基板上の目標領域に平行ラインが露光されているときに、露光ユニットに対して基板支持部を連続的に移動させることと、を含むことを特徴とするデバイス製造方法。
【請求項３３】
請求項３２に記載の方法で製造されたフラットパネルディスプレイ。
【請求項３４】
請求項３２に記載の方法で製造された集積回路。
【発明の詳細な説明】
【技術分野】
【０００１】
本発明はリソグラフィ装置及びデバイス製造方法に関する。
【背景技術】
【０００２】
露光装置は、所望のパターンを基板または基板の一部に転写する機械である。露光装置は例えばフラットパネルディスプレイや集積回路（ＩＣ）、微細構造を有する他のデバイスの製造に用いられる。通常は例えばマスクまたはレチクルと称されるパターニング用デバイスを使用して、フラットパネルディスプレイ（または他のデバイス）の各層に対応した回路パターンを形成する。このパターンは、基板に塗布された照射感応材料（レジスト）層への像形成により基板（例えばガラスプレート）の全体または一部に転写される。
【０００３】
パターニング手段を使用して、回路パターンではなく例えばカラーフィルタのパターンやドットのマトリックス状配列などの他のパターンを形成する場合もある。パターニング用デバイスは、それぞれ個別に制御可能である素子の配列（以下「個別制御可能素子アレイ」という場合もある）を備えるパターニングアレイをマスクの代わりに備えてもよい。このような方式ではマスクを使用する方式に比べて迅速かつ低コストにパターンを変更することができる。
【０００４】
フラットパネルディスプレイの基板は通常長方形である。この種の基板を露光するための露光装置は、長方形基板の幅全体またはその一部（例えば全幅の半分）をカバーする露光空間を有するように設計される。この露光空間の最下部で基板が走査されるとともに、マスク又はレチクルが基板の走査に同期してビームに対して走査される。このようにして基板にパターンが転写される。露光空間が基板の幅全体をカバーする場合には１回の走査で露光が完了する。露光空間が例えば基板の幅の半分をカバーする場合には、１回目の露光後に横方向に基板を移動させ、通常は基板の残りを露光するための走査をもう一度行う。
【発明の開示】
【発明が解決しようとする課題】
【０００５】
これまで以上に微細化されたデバイス、これまで以上にカスタマイズされたデバイス、そしてこれまで以上に低コストなデバイスを生み出すために、リソグラフィ方式の改良が脈々と続けられている。しかし、これら３つの目標は互いに干渉し合うものである。例えば新たな技術により微細な構造が実現可能となっても、デバイス製造に必要なプロセスタイムが長くなってしまって結局デバイスのコストが上がってしまう。また、デバイス製造の柔軟性を高めるプロセスを使おうとしても、パターンの微細さで妥協しなければならなくなって、結局デバイスのコストが上がってしまう。
【課題を解決するための手段】
【０００６】
改良プロセスの一案として、１回の露光で一度に複数の放射ビームを基板に適用してパターンを形成するリソグラフィシステムが提案されている。複数のビームを干渉させて高解像度の繰り返しパターンを実現させる。低解像度のパターンの露光には例えば上述のパターニング用デバイスが用いられる。パターニング用デバイスは、干渉による高解像度パターンをいわば「トリミング」して所望のパターンを形成するためにも用いられる。
【０００７】
そこで、ビームを干渉させて高解像度の繰り返しパターンを得るように基板への露光を制御するためのシステム及び方法が求められている。
【０００８】
本発明の一実施形態によれば、基板にパターンを露光するためのリソグラフィ装置が提供される。このリソグラフィ装置は基板支持部と露光ユニットとアクチュエータとを備える。基板支持部は基板を支持する。露光ユニットは２つの放射ビームを基板に投影する。２つの放射ビームは干渉して基板上の領域に複数の平行なラインを露光する。アクチュエータは、露光ユニットが基板上の複数の領域にラインを露光する間、露光ユニットに対して基板支持部を連続的に移動させる。
【０００９】
本発明の他の実施形態によれば、以下のステップを備えるデバイス製造方法が提供される。基板支持部に支持されている基板の領域に複数の平行ラインが露光されるように２つの放射ビームを干渉させて投影すべく露光ユニットを用いるステップ。露光ユニットにより基板上の複数の領域にラインが露光される間、露光ユニットに対して基板支持部を連続的に移動させるステップ。
【００１０】
本発明の更なる実施形態や特徴、効果は、本発明のさまざまな実施形態の構成及び作用とともに添付図面を参照して以下に詳細に説明される。
【発明を実施するための最良の形態】
【００１１】
以下では特定の構成について説明されるが、これは単に本発明の実施例をわかりやすく説明するためのものにすぎないと理解すべきである。当業者であれば本発明の趣旨を逸脱することなく他の構成を用いることが可能であると理解できよう。また当業者であれば本発明を他の多数の分野にも適用可能であることも明らかであろう。
【００１２】
図１は本発明の一実施形態に係る露光装置を模式的に示す図である。この装置は、照明光学系ＩＬ、パターニング用デバイスＰＤ、基板テーブルＷＴ、及び投影光学系ＰＳを備える。照明光学系（照明器）ＩＬは放射ビームＢ（例えばＵＶ放射）を調整するよう構成されている。
【００１３】
パターニング用デバイスＰＤ（例えばレチクル、マスク、または個別制御可能素子アレイ）はビームを変調する。普通は個別制御可能素子アレイは投影光学系ＰＳに対して位置が固定されるが、あるパラメタに従って該アレイを正確に位置決めする位置決め装置に接続されていてもよい。
【００１４】
基板テーブルＷＴは、基板（例えばレジストが塗布された基板）Ｗを支持するよう構成されており、あるパラメタに従って基板を正確に位置決めする位置決め装置ＰＷに接続されている。
【００１５】
投影光学系（例えば屈折投影レンズ光学系）ＰＳは、個別制御可能素子アレイにより変調された放射ビームを基板Ｗの（例えば１つ又は複数のダイからなる）目標部分Ｃに投影するよう構成されている。
【００１６】
照明光学系は、屈折光学素子、反射光学素子、磁気的光学素子、電磁気的光学素子、静電的光学素子、あるいは他の種類の光学素子などの各種の光学素子、またはこれらの組合せを含み得るものであり、放射ビームの向きや形状、あるいは他の特性を制御するためのものである。
【００１７】
本明細書において「パターニング用デバイス」または「コントラストデバイス」なる用語は、例えば基板の目標部分にパターンを生成する等、放射ビーム断面を変調するのに用い得るいかなるデバイスをも示すよう広く解釈されるべきである。これらのデバイスは静的なパターニング用デバイス（例えばマスクやレチクル）であってもよいし、動的なパターニング用デバイス（例えばプログラム可能な素子の配列）であってもよい。簡単のために本説明のほとんどは動的パターニング用デバイスの観点でなされているが、本発明の範囲を逸脱することなく静的パターニング用デバイスを用いることも可能であるものと理解されたい。
【００１８】
放射ビームに付与されるパターンは、パターンが位相シフトフィーチャあるいはいわゆるアシストフィーチャを例えば含む場合には基板の目標部分に所望されるパターンと厳密に一致していなくてもよい。また、基板に最終的に形成されるパターンは、個別制御可能素子アレイ上に形成されるパターンにどの時点においても一致しないようになっていてもよい。このような事態は、基板の各部に形成される最終的なパターンが所定時間または所定回数の露光の重ね合わせにより形成され、かつこの所定の露光中に個別制御可能素子アレイ上のパターン及び／またはアレイと基板との相対位置が変化する場合に起こりうる。
【００１９】
通常、基板の目標部分に生成されるパターンは、その目標部分に生成されるデバイス例えば集積回路やフラットパネルディスプレイの特定の機能層に対応する（例えばフラットパネルディスプレイのカラーフィルタ層や薄膜トランジスタ層）。パターニング用デバイスの例としては、レチクル、プログラマブルミラーアレイ、レーザダイオードアレイ、ＬＥＤアレイ、グレーティングライトバルブ、及びＬＣＤアレイなどがある。
【００２０】
電子的手段（例えばコンピュータ）によりパターンをプログラム可能であるパターニング用デバイスは、例えば複数のプログラム可能な素子を含むパターニング用デバイス（例えば１つ前の文章に挙げたものではレチクルを除くすべてのものが該当する）であり、本明細書では総称して「コントラストデバイス」と呼ぶこととする。一実施例ではパターニング用デバイスは少なくとも１０個のプログラム可能な素子を備え、または例えば少なくとも１００個、少なくとも１０００個、少なくとも１００００個、少なくとも１００，０００個、少なくとも１，０００，０００個、または少なくとも１０，０００，０００個のプログラム可能な素子を備えてもよい。
【００２１】
プログラマブルミラーアレイは、粘弾性制御層と反射表面とを有するマトリックス状のアドレス指定可能な表面を備えてもよい。この装置の基本的な原理は例えば、反射表面のうちアドレス指定されている区域が入射光を回折光として反射する一方、アドレス指定されていない区域が入射光を非回折光として反射するというものである。適当な空間フィルタを用いることにより、反射光ビームから非回折光を取り除いて回折光だけを基板に到達させるようにすることができる。このようにして、マトリックス状のアドレス指定可能表面にアドレス指定により形成されるパターンに従ってビームにパターンが付与される。
【００２２】
なお代替例として、回折光をフィルタにより取り除いて基板に非回折光を到達させるようにしてもよい。
【００２３】
同様にして回折光学ＭＥＭＳ（微小電気機械システム）デバイスを用いることもできる。一例としては、回折光学ＭＥＭＳデバイスは、入射光を回折光として反射する回折格子を形成するよう変形される複数の反射性のリボン状部位を備える。
【００２４】
プログラマブルミラーアレイの他の例においては、マトリックス状の微小ミラーの配列が用いられる。各微小ミラーは局所的に電界を適宜付与されることによりまたは圧電駆動手段を使用することにより各々が独立に軸周りに傾斜しうる。繰り返しになるが、ミラーはマトリックス状にアドレス指定可能に構成されており、アドレス指定されたミラーは入射する放射ビームをアドレス指定されていないミラーとは異なる方向に反射する。このようにしてマトリックス状のアドレス指定可能なミラーにより形成されるパターンに従って反射ビームにパターンが付与されうる。必要とされるマトリックス状アドレス指定は、適宜の電子的手段を使用して実行することができる。
【００２５】
パターニング用デバイスＰＤの他の例はプログラム可能なＬＣＤアレイである。
【００２６】
露光装置は１つ以上のコントラストデバイスを備えてもよい。例えば、露光装置は、複数の個別制御可能素子アレイを有し、それぞれのアレイが互いに独立に制御されるものであってもよい。この構成においては、個別制御可能素子アレイのうちのいくつかのアレイまたはすべてのアレイが少なくとも１つの照明光学系（または照明光学系の一部）を共有していてもよい。斯かるアレイは当該アレイ用の支持構造及び／または投影光学系（または投影光学系の一部）を共有していてもよい。
【００２７】
一実施例としては、図１に示される実施形態のように、基板Ｗは実質的に円形状である。基板Ｗは周縁部にノッチ及び／または平坦部を有していてもよい。一実施例としては、基板は例えば長方形などの多角形形状でもよい。
【００２８】
基板の形状が実質的に円形の場合、基板の直径は少なくとも２５ｍｍであってもよく、または例えば少なくとも５０ｍｍ、少なくとも７５ｍｍ、少なくとも１００ｍｍ、少なくとも１２５ｍｍ、少なくとも１５０ｍｍ、少なくとも１７５ｍｍ、少なくとも２００ｍｍ、少なくとも２５０ｍｍ、または少なくとも３００ｍｍであってもよい。一実施例では、基板の直径は長くても５００ｍｍ、長くても４００ｍｍ、長くても３５０ｍｍ、長くても３００ｍｍ、長くても２５０ｍｍ、長くても２００ｍｍ、長くても１５０ｍｍ、長くても１００ｍｍ、または長くても７５ｍｍである。
【００２９】
基板が例えば長方形などの多角形の場合、基板の少なくとも１辺の長さ、または例えば少なくとも２辺または少なくとも３辺の長さが、少なくとも５ｃｍであってもよく、または例えば少なくとも２５ｃｍ、少なくとも５０ｃｍ、少なくとも１００ｃｍ、少なくとも１５０ｃｍ、少なくとも２００ｃｍ、または少なくとも２５０ｃｍであってもよい。
【００３０】
一実施例では、基板の少なくとも１辺の長さが、長くても１０００ｃｍ、または例えば長くても７５０ｃｍ、長くても５００ｃｍ、長くても３５０ｃｍ、長くても２５０ｃｍ、長くても１５０ｃｍ、または長くても７５ｃｍである。
【００３１】
一実施例においては、基板Ｗはウエハであり、例えば半導体ウエハである。一実施例ではウエハの材料は、Ｓｉ（ケイ素）、ＳｉＧｅ（シリコンゲルマニウム）、ＳｉＧｅＣ（シリコンゲルマニウムカーボン）、ＳｉＣ(炭化ケイ素)、Ｇｅ（ゲルマニウム）、ＧａＡｓ(ガリウムヒ素)、ＩｎＰ（インジウムリン）、ＩｎＡｓ（インジウムヒ素）から成るグループから選択される。一実施例ではウエハは、ＩＩＩ−Ｖ族化合物半導体ウエハ、シリコンウエハ、セラミック基板、ガラス基板、またはプラスチック基板である。一実施例では基板は透明であってもよいし（ヒトの裸眼で）、有色であってもよいし、無色であってもよい。
【００３２】
この基板の厚さは例えば基板材料及び／または基板寸法に応じてある程度変更される。一実施例では、基板の厚さは、少なくとも５０μｍであり、または例えば少なくとも１００μｍ、少なくとも２００μｍ、少なくとも３００μｍ、少なくとも４００μｍ、少なくとも５００μｍ、または少なくとも６００μｍである。一実施例では、基板の厚さは、厚くても５０００μｍ、例えば厚くても３５００μｍ、厚くても２５００μｍ、厚くても１７５０μｍ、厚くても１２５０μｍ、厚くても１０００μｍ、厚くても８００μｍ、厚くても６００μｍ、厚くても５００μｍ、厚くても４００μｍ、または厚くても３００μｍである。
【００３３】
基板は露光前または露光後において例えばトラック（典型的にはレジスト層を基板に塗布し、露光後のレジストを現像する装置）、計測装置、及び／または検査装置により処理されてもよい。一実施例ではレジスト層が基板に設けられる。
【００３４】
本明細書では投影光学系または投影系という用語は、使用される露光光、あるいは液浸露光用液体や真空の利用などの他の要因に関して適切とされるいかなる投影光学系をも包含するよう広く解釈されるべきである。投影光学系には例えば屈折光学系、反射光学系、反射屈折光学系、磁気的光学系、電磁気的光学系、静電的光学系、またはこれらの任意の組み合わせなどが含まれる。以下では「投影レンズ」という用語は、より一般的な用語である投影光学系または投影系という用語と同義に用いられ得る。
【００３５】
投影系は、個別制御可能素子アレイにおけるパターンが基板上にコヒーレントに形成されるように当該パターンの像を形成する。これに代えて投影系は二次光源の像を形成してもよく、この場合個別制御可能素子アレイの各素子はシャッタとして動作してもよい。この場合には投影系は、例えば二次光源を形成し基板上にスポット状に像形成するために、例えばマイクロレンズアレイ（ｍｉｃｒｏ  ｌｅｎｓ  ａｒｒａｙ、ＭＬＡとして知られている）やフレネルレンズアレイなどの合焦用素子のアレイを含んでもよい。一実施例では合焦用素子のアレイ（例えばＭＬＡ）は少なくとも１０個の合焦用素子を備え、または例えば少なくとも１００個、少なくとも１０００個、少なくとも１００００個、少なくとも１００，０００個、または少なくとも１，０００，０００個の合焦用素子を備えてもよい。一実施例においては、パターニング用デバイスにおける個別制御可能素子の数と合焦用素子のアレイにおける合焦用素子の数とは等しいか、あるいは、パターニング用デバイスにおける個別制御可能素子の数が合焦用素子のアレイにおける合焦用素子の数よりも多い。一実施例では、合焦用素子のアレイにおける１つ以上（例えばたいていは各アレイにつき１０００以上）の合焦用素子は、個別制御可能素子アレイにおける１つ以上（例えば２つ以上、または３つ以上、５つ以上、１０以上、２０以上、２５以上、３５以上、または５０以上）の個別制御可能素子に光学的に連関していてもよい。一実施例では、ＭＬＡは、少なくとも基板に近づく方向及び遠ざかる方向に例えば１以上のアクチュエータを用いて移動可能である。基板に近づく方向及び遠ざかる方向にＭＬＡを移動させることができる場合には、基板を動かすことなく例えば焦点合わせをすることが可能となる。
【００３６】
図１及び図２に示されるように本装置は反射型（例えば反射型の個別制御可能素子アレイを用いる）である。透過型（例えば透過型の個別制御可能素子アレイを用いる）の装置を代替的に用いてもよい。
【００３７】
露光装置は２つ以上（２つの場合にはデュアルステージと呼ばれる）の基板テーブルを備えてもよい。このような多重ステージ型の装置においては、追加されたテーブルは並行して使用されるか、あるいは１以上のテーブルで露光が行われている間に１以上の他のテーブルで準備工程が実行されるようにしてもよい。
【００３８】
露光装置は、基板の少なくとも一部が「液浸露光用の液体」で覆われるものであってもよい。この液体は比較的高い屈折率を有する例えば水などの液体であり、投影系と基板との間の空隙を満たす。液浸露光用の液体は、例えばパターニング用デバイスと投影系との間などの露光装置の他の空間に適用されるものであってもよい。液浸技術は投影系の開口数を増大させる技術として周知である。本明細書では「液浸」という用語は、基板等の構造体が液体に完全に浸されているということを意味するのではなく、露光の際に投影系と基板との間に液体が存在するということを意味するに過ぎない。
【００３９】
図１に示されるように照明器ＩＬは放射源ＳＯから放射ビームを受け取る。一実施例では、放射源により、少なくとも５ｎｍ、または例えば少なくとも１０ｎｍ、少なくとも５０ｎｍ、少なくとも１００ｎｍ、少なくとも１５０ｎｍ、少なくとも１７５ｎｍ、少なくとも２００ｎｍ、少なくとも２５０ｎｍ、少なくとも２７５ｎｍ、少なくとも３００ｎｍ、少なくとも３２５ｎｍ、少なくとも３５０ｎｍ、または少なくとも３６０ｎｍの波長を有する放射が供される。一実施例では、放射源ＳＯにより供される放射は、長くても４５０ｎｍ、または例えば長くても４２５ｎｍ、長くても３７５ｎｍ、長くても３６０ｎｍ、長くても３２５ｎｍ、長くても２７５ｎｍ、長くても２５０ｎｍ、長くても２２５ｎｍ、長くても２００ｎｍ、または長くても１７５ｎｍの波長を有する。一実施例では、この放射は、４３６ｎｍ、４０５ｎｍ、３６５ｎｍ、３５５ｎｍ、２４８ｎｍ、１９３ｎｍ、１５７ｎｍ、及び／または１２６ｎｍの波長を含む。一実施例では、この放射は３６５ｎｍ程度、または３５５ｎｍ程度の波長を含む。一実施例では、この放射は例えば３６５ｎｍ、４０５ｎｍ、及び４３６ｎｍの波長を含む広帯域の波長を含む。３５５ｎｍの波長のレーザ光源を使用し得る。例えば光源がエキシマレーザである場合には、光源と露光装置とは別体であってもよい。この場合、光源は露光装置の一部を構成しているとはみなされなく、放射ビームは光源ＳＯから照明器ＩＬへとビーム搬送系ＢＤを介して受け渡される。ビーム搬送系ＢＤは例えば適当な方向変更用ミラー及び／またはビームエキスパンダを含んで構成される。あるいは光源が水銀ランプである場合には、光源は露光装置に一体に構成されていてもよい。光源ＳＯと照明器ＩＬとは、またビーム搬送系ＢＤが必要とされる場合にはこれも合わせて、放射系と総称される。
【００４０】
照明器ＩＬは放射ビームの角強度分布を調整するためのアジャスタＡＤを備えてもよい。一般にはアジャスタＡＤにより、照明器の瞳面における強度分布の少なくとも半径方向外径及び／または内径（通常それぞれ「シグマ−アウタ（σ−ｏｕｔｅｒ）」、「シグマ−インナ（σ−ｉｎｎｅｒ）」と呼ばれる）が調整される。加えて照明器ＩＬは、インテグレータＩＮ及びコンデンサＣＯなどの他の要素を備えてもよい。照明器はビーム断面における所望の均一性及び強度分布を得るべく放射ビームを調整するために用いられる。照明器ＩＬ及び追加の関連構成要素は放射ビームを複数の分割ビームに分割するように構成されていてもよい。例えば各分割ビームが個別制御可能素子アレイにおける１つまたは複数の個別制御可能素子に対応するように構成してもよい。放射ビームを分割ビームに分割するのに例えば二次元の回折格子を用いてもよい。本明細書においては「放射ビーム」という用語は、放射ビームがこれらの複数の分割ビームを含むという状況も包含するが、これに限定されないものとする。
【００４１】
放射ビームＢは、パターニング用デバイスＰＤ（例えば、個別制御可能素子アレイ）に入射して、当該パターニング用デバイスにより変調される。放射ビームはパターニング用デバイスＰＤにより反射され、投影系ＰＳを通過する。投影系ＰＳはビームを基板Ｗの目標部分Ｃに合焦させる。位置決め装置ＰＷと位置センサＩＦ２（例えば、干渉計、リニアエンコーダ、静電容量センサなど）により基板テーブルＷＴは正確に移動され、例えば放射ビームＢの経路に異なる複数の目標部分Ｃをそれぞれ位置決めするように移動される。また、個別制御可能素子アレイ用の位置決め手段が設けられ、例えば走査中にビームＢの経路に対してパターニング用デバイスＰＤの位置を正確に補正するために用いられてもよい。
【００４２】
一実施例においては、ロングストロークモジュール（粗い位置決め用）及びショートストロークモジュール（精細な位置決め用）により基板テーブルＷＴの移動を実現する。ロングストロークモジュール及びショートストロークモジュールは図１には明示されていない。一実施例では基板テーブルＷＴを移動させるためのショートストロークモジュールを省略してもよい。個別制御可能素子アレイを位置決めするためにも同様のシステムを用いることができる。必要な相対運動を実現するために、対象物テーブル及び／または個別制御可能素子アレイの位置を固定する一方、放射ビームＢを代替的にまたは追加的に移動可能としてもよいということも理解されよう。この構成は装置の大きさを小さくするのに役立ち得る。例えばフラットパネルディスプレイの製造に適用可能な更なる代替例として、基板テーブルＷＴ及び投影系ＰＳを固定し、基板Ｗを基板テーブルＷＴに対して移動させるように構成してもよい。例えば基板テーブルＷＴは、実質的に一定の速度で基板Ｗを走査させるための機構を備えてもよい。
【００４３】
図１に示されるように放射ビームＢはビームスプリッタＢＳによりパターニング用デバイスＰＤに向けられるようにしてもよい。このビームスプリッタＢＳは、放射ビームがまずビームスプリッタＢＳにより反射されてパターニング用デバイスＰＤに入射するように構成される。ビームスプリッタを使わずに放射ビームをパターニング用デバイスに入射させるようにすることもできる。一実施例では放射ビームは０度から９０度の間の角度でパターニング用デバイスに入射する。または例えば５度から８５度の間、１５度から７５度の間、２５度から６５度の間、または３５度から５５度の間の角度であってもよい（図１には９０度の例が示されている）。パターニング用デバイスＰＤは放射ビームＢを変調し、再度ビームスプリッタＢＳに向かって戻るように放射ビームＢを反射する。ビームスプリッタＢＳは変調されたビームを投影系ＰＳへと伝達する。しかしながら放射ビームＢをパターニング用デバイスＰＤに入射させ、そのまま更に投影系ＰＳに入射させるという代替的な構成も可能であることも理解されよう。特に透過型のパターニング用デバイスが用いられる場合には図１に示される構成は必要とはされない。
【００４４】
図示の装置はいくつかのモードで使用することができる。
【００４５】
１．ステップモードにおいては、放射ビームに付与されたパターンの全体が１回の照射で目標部分Ｃに投影される間、個別制御可能素子アレイ及び基板は実質的に静止状態とされる（すなわち１回の静的な露光）。そして基板テーブルＷＴがＸ方向及び／またはＹ方向に移動されて、異なる目標部分Ｃが露光される。ステップモードでは露光フィールドの最大サイズによって、１回の静的露光で結像される目標部分Ｃの寸法が制限されることになる。
【００４６】
２．スキャンモードにおいては、放射ビームに付与されたパターンが目標部分Ｃに投影される間、個別制御可能素子アレイ及び基板は同期して走査される（すなわち１回の動的な露光）。個別制御可能素子アレイに対する基板の速度及び方向は、投影系ＰＳの拡大（縮小）特性及び像反転特性により定められる。スキャンモードでは露光フィールドの最大サイズが１回の動的露光での目標部分Ｃの（非走査方向の）幅を制限し、走査移動距離が目標部分の（走査方向の）長さを決定する。
【００４７】
３．パルスモードにおいては、個別制御可能素子アレイは実質的に静止状態とされ、パルス放射源により基板Ｗの目標部分Ｃにパターンの全体が投影される。基板テーブルＷＴが実質的に一定の速度で移動して、ビームＢは基板上を線状に走査させられる。個別制御可能素子アレイ上のパターンは放射系からのパルス間に必要に応じて更新される。パルス照射のタイミングは、基板上の複数の目標部分Ｃが連続して露光されるように調整される。その結果、基板上の１つの短冊状領域にパターンが完全に露光されるようビームＢにより基板Wが走査されることになる。この短冊状領域の露光を順次繰り返すことにより基板Ｗは完全に露光される。
【００４８】
４．連続スキャンモードは基本的にパルスモードと同様である。異なるのは、変調された放射ビームＢに対して基板Ｗが実質的に等速で走査され、ビームＢが基板Ｗ上を走査し露光しているときに個別制御可能素子アレイ上のパターンが更新されることである。個別制御可能素子アレイのパターンの更新に同期させるようにした、実質的に一定の放射源またはパルス放射源を用いることができる。
【００４９】
５．ピクセルグリッド結像モードでは、基板Ｗに形成されるパターンはスポット状の露光を連続的に行うことにより実現される。このモードは図２の露光装置を使用して実現することができる。このスポット状の露光はスポット発生器により形成され、パターニング用デバイスＰＤへと向けられる。スポット状の露光はそれぞれ実質的に同形状である。基板Ｗ上には露光スポットが実質的に格子状に露光される。一実施例では、このスポットの寸法は露光されるピクセルのピッチよりも大きいが、毎回の露光時に露光スポットが形成する格子の大きさよりはかなり小さい。転写されるスポットの強度を変化させることによりパターンが形成される。露光照射の合間に各スポットの強度分布が変更される。
【００５０】
上記で記載したモードを組み合わせて動作させてもよいし、モードに変更を加えて動作させてもよく、さらに全く別のモードで使用してもよい。
【００５１】
リソグラフィでは基板上のレジスト層にパターンが露光される。そしてレジストが現像される。続いて追加の処理工程が基板に施される。基板の各部分へのこれらの追加の処理工程の作用は、レジストへの露光の程度によって異なる。特にこの処理は、所与の線量閾値を超える照射量を受けた基板の部位が示す反応と、その閾値以下の照射量を受けた部位が示す反応とが異なるように調整されている。例えば、エッチング工程においては上記の閾値を超える照射量を受けた基板上の区域は、レジスト層が現像されることによりエッチングから保護される。一方、この閾値以下の照射量を受けたレジストは露光後の現像工程で除去され、基板のその区域はエッチングから保護されない。このため、所望のパターンにエッチングがなされる。特に、パターニング用デバイス内の個別制御可能素子は、パターン図形内部となる基板上の区域での露光中の照射量が線量閾値を超えるように実質的に高強度であるように設定される。基板の他の領域は、ゼロまたはかなり低い放射強度を受けるように対応の個別制御可能素子が設定されることにより、線量閾値以下の放射を受ける。
【００５２】
実際には、パターン図形端部での照射量は所与の最大線量からゼロへと急激に変化するわけではない。この照射量は、たとえ図形の境界部分の一方の側への放射強度が最大となり、かつその図形境界部分の他方の側への放射強度が最小となるように個別制御可能素子が設定されていたとしても急激には変化しない。回折の影響により、照射量の大きさは移行領域を介して低下するからである。パターン図形の境界位置は最終的にレジストの現像により形成される。その境界位置は、照射された線量が閾値を下回る位置によって定められる。この移行領域での線量低下のプロファイル、ひいてはパターン図形の境界の正確な位置は、当該図形境界上または近傍に位置する基板上の各点に放射を与える個別制御可能素子の設定により、より正確に制御できるであろう。これは、強度レベルの最大値または最小値を制御するだけではなく、当該最大値及び最小値の間の強度レベルにも制御することによっても可能となるであろう。これは通常「グレイスケーリング」と呼ばれる。
【００５３】
グレイスケーリングによれば、個別制御可能素子により基板に２値の放射強度（つまり最大値と最小値）だけが与えられるリソグラフィシステムよりも、パターン図形の境界位置の制御性を向上させることができる。一実施例では、少なくとも３種類の放射強度が基板に投影されてもよく、または例えば少なくとも４種類の放射強度でも、少なくとも８種類の放射強度でも、少なくとも１６種類の放射強度でも、少なくとも３２種類の放射強度でも、少なくとも６４種類の放射強度でも、少なくとも１２８種類の放射強度でも、または少なくとも２５６種類の放射強度でもよい。
【００５４】
グレイスケーリングは上述の目的に加えてまたは上述の目的に代えて使用されてもよい。例えば、照射された線量レベルに応じて基板の各領域が２種以上の反応を可能とするように、露光後の基板への処理が調整されていてもよい。例えば、第１の線量閾値以下の放射を受けた基板の部位では第１の種類の反応が生じ、第１の線量閾値以上で第２の線量閾値以下の放射を受けた基板の部位では第２の種類の反応が生じ、第２の線量閾値以上の放射を受けた基板の部位では第３の種類の反応が生じるようにしてもよい。したがって、グレイスケーリングは、基板上での線量のプロファイルが２以上の望ましい線量レベルを有するようにするのに用いることができる。一実施例では、この線量プロファイルは少なくとも２つの所望の線量レベルを有し、または例えば少なくとも３つの所望の線量レベル、少なくとも４つの所望の線量レベル、少なくとも６つの所望の線量レベル、または少なくとも８つの所望の線量レベルを有してもよい。
【００５５】
線量プロファイルの制御は、上述のように基板上の各点が受ける放射強度を単に制御するという方法以外の方法によっても可能である。例えば、基板上の各点が受ける照射量は、各点への露光時間を代替的にまたは追加的に制御することによっても制御することができる。他の例として、基板上の各点は、連続的な複数回の露光により放射を受けてもよい。このような連続的複数露光から一部の露光を選択して用いることにより代替的にまたは追加的に各点が受ける照射量を制御することが可能となる。
【００５６】
基板上に要求されるパターンを形成するために、露光処理中の各段階でパターニング用デバイスの各個別制御可能素子を必要な状態に設定する必要がある。よって、この必要状態を表す制御信号が各個別制御可能素子に伝達されなければならない。一実施例では、露光装置はこの制御信号を生成する制御部を含む。基板に形成されるべきパターンは、例えばＧＤＳＩＩなどのベクトルで規定されるフォーマットで露光装置に供給されうる。デザイン情報を各個別制御可能素子用の制御信号に変換するために、制御部は、１つ以上のデータ処理装置を含む。各データ処理装置は、パターンを表すデータストリームに処理を施すように構成されている。各データ処理装置は「データパス」とも総称される。
【００５７】
このデータパス及びデータ処理装置は、次に示す機能の１つ以上を実行するように構成されていてもよい。その機能とは、ベクトルベースのデザイン情報をビットマップのパターンデータに変換すること、ビットマップのパターンデータを必要とされる線量マップ（つまり基板上で必要とされる線量のプロファイル）に変換すること、必要とされる線量マップを各個別制御可能素子用の必要放射強度値に変換すること、及び、各個別制御可能素子用の必要放射強度値を対応する制御信号に変換することである。
【００５８】
図２は、本発明に係る露光装置の一例を示す図である。この実施例は例えばフラットパネルディスプレイの製造に用いることができる。図１に示される構成要素に対応するものには図２においても同じ参照符号を付している。また、基板やコントラストデバイス、ＭＬＡ、放射ビームなどについてののさまざまな構成例などを含む上述のさまざまな変形例は同様に適用可能である。
【００５９】
図２に示されるように、投影系ＰＳは、２つのレンズＬ１、Ｌ２を備えるビームエキスパンダを含む。第１のレンズＬ１は、変調された放射ビームＢを受け、開口絞りＡＳの開口部で合焦させる。開口部には他のレンズＡＬを設けてもよい。そして放射ビームＢは発散し、第２のレンズＬ２（例えばフィールドレンズ）により合焦させられる。
【００６０】
投影系ＰＳは、拡大された変調放射ビームＢを受けるように構成されているレンズアレイＭＬＡをさらに備える。変調放射ビームＢの異なる部分はそれぞれレンズアレイＭＬＡの異なる部分を通過する。この変調放射ビームＢの異なる部分はそれぞれ、パターニング用デバイスＰＤの１つ以上の個別制御可能素子に対応している。各レンズは変調放射ビームＢの各部分を基板Ｗ上の点に合焦させる。このようにして基板Ｗ上に照射スポットＳの配列が露光される。図示されているレンズアレイには８つのレンズ１４が示されているだけであるが、レンズアレイは数千のレンズを含んでもよい（パターニング用デバイスＰＤとして用いられる個別制御可能素子アレイについても同様である）。
【００６１】
図３は、本発明の一実施形態に係り、図２のシステムを用いて基板Ｗ上にどのようにパターンが生成されるのかを模式的に示す図である。図中の黒丸は、投影系ＰＳのレンズアレイＭＬＡによって基板に投影されるスポットＳの配列を示す。基板は、基板上での露光が進むにつれて投影系に対してＹ方向に移動する。図中の白丸は、基板上で既に露光されている露光スポットＳＥを示す。図示されるように投影系ＰＳのレンズアレイＭＬＡによって基板に投影された各スポットは基板上に露光スポット列Ｒを形成する。各スポットＳＥの露光により形成される露光スポット列Ｒがすべて合わさって、基板にパターンが完全に形成される。上述のようにこのような方式はよく「ピクセルグリッド結像」と称される。
【００６２】
照射スポットＳの配列が基板Ｗに対して角度θをなして配置されている様子が示されている（基板Ｗの端部はそれぞれＸ方向及びＹ方向に平行である）。これは、基板が走査方向（Ｙ方向）に移動するときに、各照射スポットが基板の異なる領域を通過するようにするためである。これにより、照射スポット１５の配列により基板の全領域がカバーされることになる。一実施例では、角度θは大きくても２０°または１０°であり、または例えば大きくても５°、大きくても３°、大きくても１°、大きくても０．５°、大きくても０．２５°、大きくても０．１０°、大きくても０．０５°、または大きくても０．０１°である。一実施例では、角度θは小さくても０．００１°である。
【００６３】
図４は、本発明の一実施形態において、どのようにしてフラットパネルディスプレイの基板Ｗ全体が複数の光学エンジンを用いて１回の走査で露光されるのかを模式的に示す図である。この例では照射スポットＳの配列ＳＡが８つの光学エンジン（図示せず）により形成される。光学エンジンはチェス盤のような配列で２つの列Ｒ１、Ｒ２に配置されている。照射スポットの配列の端部が隣接の照射スポット配列の端部に（走査方向であるＹ方向において）少し重なるように形成される。一実施例では光学エンジンは少なくとも３列、例えば４列または５列に配列される。このようにして、照射の帯が基板Ｗの幅を横切って延び、１回の走査で基板全体の露光が実現されることとなる。光学エンジンの数は適宜変更してもよい。一実施例では、光学エンジンの数は少なくとも１個であり、または例えば少なくとも２個、少なくとも４個、少なくとも８個、少なくとも１０個、少なくとも１２個、少なくとも１４個、または少なくとも１７個である。一実施例では、光学エンジンの数は４０個未満であり、または例えば３０個未満または２０個未満である。
【００６４】
各光学エンジンは、上述の照明系ＩＬ、パターニング用デバイスＰＤ、及び投影系ＰＳを別個に備えてもよい。あるいは２個以上の光学エンジンが１以上の照明系、パターニング用デバイス、及び投影系の少なくとも一部を共有してもよい。
【００６５】
図５Ａ及び図５Ｂは、本発明の一実施形態に係る露光ユニット１０の断面図及び平面図である。図示されるように基板Ｗが基板支持部１１に支持されている。第１及び第２の放射ビーム１２、１３は、各ビームが入射する基板Ｗ上の領域１４で干渉するように基板Ｗに投影される。
【００６６】
典型的な干渉リソグラフィシステムは、２００６年１月３０日出願の米国特許出願第１１／３４１，３８１号、２００５年１２月２９日出願の米国特許出願第１１／３２０，４７３号、及び２００５年１２月２０日出願の米国特許出願第１１／３１１，６４０号（いずれも共有）にも記載されている。これらの文献はすべて本明細書の一部を構成するものとして援用する。
【００６７】
放射ビーム１２、１３はそれぞれ調整ユニット１５、１６により基板Ｗに投影される。調整ユニット１５、１６は、放射ビーム１２、１３を調整するものであり、例えば要求強度プロファイルを実現するように放射ビーム１２、１３を調整する。放射ビーム１２、１３は露光ユニット内部の光源または露光ユニット１０の外部に位置する光源により生成され、例えば光ファイバ接続を介して調整ユニット１５、１６にもたらされる。なお光源はリソグラフィ装置の外部に位置していてもよい。また、放射ビーム１２、１３の両方が（露光ユニット１０の内外を問わず）単一の放射源に由来するものであってもよい。この場合、単一放射源で生成された放射ビームは放射ビーム分割器により分割されて各放射ビーム調整ユニット１５、１６に供給される。
【００６８】
図５Ｂに示されるように第１及び第２の放射ビーム１２、１３の干渉により、放射ビーム１２、１３が入射する基板Ｗ上の領域１４に複数のラインが露光される。図５Ａ及び図５Ｂには示されていないが、放射ビームは基板表面に供給された液体を通じて投影されてもよい。例えば液浸リソグラフィシステムを用いてビームが投影されてもよい。この例では液浸液の利用により露光されるラインのピッチを小さくすることができる。一般にラインピッチは次式により与えられる。
【数１】
2007305987.tif 000003
【００６９】
ここでλは放射波長、ｎは基板に隣接する媒体の屈折率、θは放射ビームと基板表面の法線とがなす角度を示す。
【００７０】
図５Ｂに示されるように露光ユニットにより複数のラインが露光される領域１４は、基板Ｗの表面に比べてかなり小さい。実際のところ、露光ユニットにより複数のラインが露光される領域１４は、図５Ｂに示されるものよりも基板Ｗ表面で占める割合がさらに小さい。露光ユニットにより複数のラインが露光される領域は、基板Ｗの直径がおよそ３００ｍｍであるのに対して例えばおよそ２ｍｍ×２ｍｍである。これは、ビームの空間的及び時間的コヒーレンス、あるいは（グレイスケール）マスク等のビーム形状決定素子の使用によって露光エリアが限定されるためである。このため、露光ユニットにより基板Ｗ上の多数の領域を露光することが必要となり得る。これを実現するためには露光ユニット１０に対して（基板を支持した状態で）基板支持部１１を移動させればよい。そうすれば基板の異なる複数の領域にラインを露光することができる。よって、図５Ａに示されるようにリソグラフィ装置は、露光ユニット１０に対して基板支持部１１を移動させるアクチュエータ１７を備える。なおアクチュエータは露光ユニット１０を移動させるように設けられていてもよいし、露光ユニット１０及び基板支持部１１の双方を移動させるように設けられていてもよい。
【００７１】
リソグラフィ装置は、必要な相対位置関係が実現されるまで露光ユニット１０に対して基板支持部１１を移動させるように構成されていてもよい。必要な相対位置が確保されたところで相対移動が停止され、放射ビーム１２、１３が基板に投影される。これにより基板上の所望の領域に複数のラインが露光される。その後基板支持部１１が再度露光ユニット１０に対して移動され、処理が繰り返されてもよい。これにより第２の所望の領域に複数のラインが露光される。このような処理を複数回繰り返すことにより、露光されるべき基板Ｗ上のすべての領域にラインが露光される。基板上の各領域への露光ごとに露光ユニット１０に対する基板位置を精密に位置決めすれば、高精度の露光が実現される。しかし、そのような処理には比較的時間がかかる。
【００７２】
よって、一例として、露光ユニットが基板上の複数の領域にラインを露光しているときに露光ユニット１０に対して基板支持部１１即ち基板Ｗを連続的に移動させるようにアクチュエータ１７を構成する。そうすればすべての露光必要領域へのラインの露光をより短時間で完了させることができる。しかし、上述のステップ式露光とは対照的に、露光ユニット１０による毎回の露光のタイミング、及び／または露光ユニットに対する基板支持部１１の移動に関して入念な制御が必要とされることになる。
【００７３】
［実施形態１］
本発明の第１の実施形態によれば、アクチュエータ１７は露光ユニット１０に対して基板支持部１１を移動させるように構成されており、その移動方向は露光ユニットにより露光されるラインに平行な方向である。アクチュエータ１７による移動は、露光ユニットにより基板上の複数の領域にラインを露光する露光シーケンスの実行中に行われる。よって、露光ユニットに対する基板支持部の連続的移動の間にラインが露光された基板Ｗ上の複数の領域は、基板に露光されたラインに平行な方向に配列されることになる。
【００７４】
図６Ａは基板上の複数の領域２１、２２、２３の配列を示す図である。これらの領域２１、２２、２３には複数のライン２４が露光されている。ライン２４に平行な方向への露光ユニットに対する基板支持部の１方向の移動によりライン２４は露光されている。図示されるように、第２の領域２２は第１の領域２１にちょうどぴったりと隣接して配置されており、第３の領域２３は第２の領域２２にちょうどぴったりと隣接して配置されている。このため、連続的なライン２４が３つの領域２１、２２、２３を横断して形成される。
【００７５】
基板支持部１１が露光ユニット１０に対して連続的に移動しているときに複数の領域２１、２２、２３にラインを露光するために、露光ユニット１０は、同期してパルス化された放射ビーム１２、１３を使用してもよい。基板支持部１１の移動量とパルス放射ビーム１２、１３のパルス間隔とは、連続パルスにより露光される領域２１、２２、２３がちょうど隣接するように時間的に調整される。リソグラフィ装置をシンプルに構成するために基板支持部１１が露光ユニット１０に対して定速で移動するようにした場合には、放射ビーム１２、１３が一定の周波数でパルス化されるようにすればよい。これに代えて、露光ユニット１０に対する基板支持部１１の移動量を測定してもよい。この場合、測定された基板支持部１１の移動量に基づいて放射ビーム１２、１３をトリガし必要回数のパルスを供給する放射光源を用いてもよい。
【００７６】
図６Ｂは、図６Ａに示される構成の変形例を示す図である。図６Ａと同様に、基板上の連続領域３１、３２、３３が露光ユニット１０により露光されて複数のライン３４が形成される。この露光は、露光されるライン３４の方向に平行な方向３５に基板支持部１１が移動しているときに行われる。ところが、この変形例では第１及び第２の領域３１、３２が重なっており（オーバーラップしており）、第２及び第３の領域３２、３３が重なっている（オーバーラップしている）。各エリアを重ね合わせることにより、ある領域の位置決めが次の領域に対して多少不正確であったとしても隣接領域間でラインが分断される危険性を実質的になくすことができる。
【００７７】
基板に露光される１本のライン上の各点が受ける総露光量により各点での正確なライン幅が決定される。よって、領域内部であるか２つの領域間の境界部分であるかによらずライン長手方向に沿って幅が例えば均一となるようにライン上の各点での露光量を制御することが望ましい。このため、図６Ｂに示される変形例においては、１つの領域内部の各ラインに沿って基板に投影される放射照度が、領域内部で隣接領域に重ならない部分において隣接領域に重なる部分よりも高くなるように調整されていてもよい。図６Ｂに示される例では例えば、重畳領域３６、３７にラインを形成すべく基板に投影される放射照度は第２の領域３２の残りの部分での照度よりも小さくてもよい。
【００７８】
一例としては、重畳領域での照度低減はステップ状の変化であってもよく、１つの領域内での重畳部分全体にわたって非重畳部分での照度の例えば５０％としてもよい。このようにすれば、重畳部分に含まれるライン上の各点が受ける総露光量を、非重畳部分での露光量と等しくすることができる。露光量の半分を１つの露光領域から受け、残りの半分を次の露光領域から受けることになるからである。
【００７９】
これに代えて、重畳部分においてラインに沿って長手方向に放射照度が変化するようにしてもよい。図７Ａは、この場合において１つの領域内の１本のラインに沿う照度プロファイルを示す図である。図示されるように照度Ｉは、領域内の非重畳部分に対応する部位３８で最大値を取り、隣接露光領域と重なり合う部分に対応する部位３９で線形にゼロまで減少する。
【００８０】
また、図７Ｂは上述の例による２つの領域４１、４２間の境界での照度プロファイルを示す図である。図示されるように、重畳領域４３を横切るにつれて第１の領域４１の照度プロファイルの減少４４が第２の領域４２の照度プロファイルの増加４５により補償され、照度プロファイル４６は全体としてライン長手方向に一定の線を描いている。重畳部分の放射照度を非重畳部分の半分にする場合と比較した図７Ａ及び図７Ｂの実施例の利点は、２つの領域の位置誤差の影響を小さくすることができるという点にある。例えば、ステップ変化型の照度プロファイルにおいてはラインに平行な方向において２つの領域間に少量の変位があった場合には、わずかな部位ではあるが基準露光量の半分の露光量となる領域と１．５倍の露光量となる領域とが生じてしまうことになる。これに対して図７Ａ及び図７Ｂに示される実施例では、基準露光量よりもわずかに多量または少量の露光量を受ける部位が形成されるにすぎない。
【００８１】
基板に露光されるライン長手方向に沿ってまたは各ライン間で、必要放射照度プロファイルを実現するために、露光ユニット１０の放射ビーム調整ユニット１５、１６の一方または双方の瞳面に放射照度分布制御部が設けられてもよい。これにより第１及び第２の放射ビーム１２、１３の照度分布を制御することができる。放射照度分布制御部はマスクにより構成されてもよい。上述の異なる実施例のそれぞれで動作するよう装置を再設定するためにマスクが交換可能であってもよい。また、放射照度分布制御部は個別制御可能素子アレイにより構成されていてもよい。この場合、異なる動作モードへの変更や、放射ビーム１２、１３の照度制御ひいては基板に露光されるラインの放射照度制御を迅速に行うことができる。
【００８２】
第１の実施形態の一代替例においては、基板に投影される第１及び第２の放射ビーム１２、１３が連続的であってもよい。この場合、ラインが露光される基板上の各領域は連続的に重なり合うことになる。この場合の利点は、放射ビームの照度が一定であるとすると、露光ユニット１０に対して基板支持部１１が定速で移動する場合には基板に露光されるライン上の各点が受ける露光量が一定となるということである。
【００８３】
図８及び図９は、露光ユニット１０に対する基板支持部１１の第１の移動中に露光される基板上の第１の領域群と、露光ユニット１０に対する基板支持部１１の第２の移動中に露光される基板上の第２の領域群とを結合する実施例を示す図である。
【００８４】
図８に示されるように第１の複数領域５１、５２、５３は、図６Ｂを参照して説明したように互いにオーバーラップして露光される。同様に、第２の複数領域５５、５６、５７も互いにオーバーラップするように基板に露光される。なお、第１の領域群５１、５２、５３及び第２の領域群５５、５６、５７の一方または双方において、図６Ａを参照して説明したように各領域が互いにすぐ隣りに接するように配置されていてもよい。
【００８５】
図示されるように、第１の領域群５１、５２、５３は各領域が第２の領域群５５、５６、５７の各領域にぴったりと隣接するように基板上で露光される。特に、第２の領域群５５、５６、５７に最も近接する第１の領域群５１、５２、５３のライン５８と第１の領域群５１、５２、５３に最も近接する第２の領域群５５、５６、５７のライン５９との間隔Ｄ１が、第１または第２の領域群での各ラインの間隔Ｄ２に等しくなるように各領域群は基板上で露光される。よって、各ラインの間隔は、第１及び第２の領域群の境界部分を含めて、第１及び第２の領域群を通じて均一となる。
【００８６】
これに代えて図９に示されるように、第１の領域群５１’、５２’、５３’は第２の領域群５５’、５６’、５７’に重なり合うように露光されてもよい。この場合、第１の領域群及び第２の領域群を通じてライン間隔を保持するために、第１及び第２の領域群の重畳部分６０において第１の領域群５１’、５２’、５３’の少なくとも１本のライン６１と第２の領域群５５’、５６’、５７’の対応ライン６２とが位置合わせされた状態でオーバーラップされる。
【００８７】
一実施例として、領域群の重畳部分６０に露光されるラインの露光量を領域群の非重畳部分に露光されるラインの露光量に等しくするために、第１及び第２の領域群の重畳部分６０のライン６１、６２への放射照度を非重畳部分に比べて低減してもよい。例えば、第１及び第２の領域群のそれぞれにおいてラインへの放射照度を重畳部分６０で非重畳部分の半分の大きさとしてもよい。
【００８８】
一実施例として、アクチュエータ１７は、基板上の第１及び第２の領域群を露光するよう露光ユニット１０に対して基板支持部１１を移動させるように構成されていてもよい。この構成においては、アクチュエータ１７は、１つの領域群が露光されている間は基板に露光されるラインに平行な方向へと露光ユニット１０に対して基板支持部１１を連続的に移動させる。またアクチュエータ１７は、基板上の第１の領域群への露光と基板上の第２の領域群への露光との間に、基板に露光されるラインに垂直な方向へと露光ユニット１０に対して基板支持部１１を移動させる。あるいは、基板に露光されるラインに垂直な方向へと露光ユニット１０に対して基板支持部１１を移動させる別個のアクチュエータが設けられていてもよい。
【００８９】
［実施形態２］
第１の実施形態とは代替的な実施例となる第２の実施形態においては、露光ユニットが基板上の複数の領域を露光しているときに、基板に露光されるラインに垂直な方向へと露光ユニットに対して基板支持部１１が連続的に移動される。なお第１の実施形態において説明した変形例は第２の実施形態にも適用可能であり、それらの説明は繰り返さない。
【００９０】
図１０Ａ及び図１０Ｂは、露光ユニット１０に対して基板支持部１１を単一方向に移動するときに基板の複数の領域に露光する実施例をそれぞれ示す図である。図１０Ａに示されるように、複数の領域７１、７２、７３は順次露光されて基板にライン７４が形成される。このときライン７４に垂直な方向に露光ユニット１０に対して基板支持部１１が移動される。図示されるように各領域７１、７２、７３は、直前の露光領域に対してすぐ隣りにぴったりと接している。すなわち、第２の領域７２は第１の領域７１にぴったりと隣接しており、第３の領域７３は第２の領域７２にぴったりと隣接している。
【００９１】
第１の実施形態で説明したのと同様に、露光ユニットからの第１及び第２の放射ビーム１２、１３は、基板上の正確な位置にライン７４を露光するのに必要なタイミングに同期してパルス化されてもよい。特に、図１０Ａに示されるように、パルス間隔及び露光ユニット１０に対する基板支持部１１の移動速度は、第２の領域７２に最も近接する第１の領域７１のライン７６と第１の領域７１に最も近接する第２の領域７２のライン７７との間隔Ｄ３と第１及び／または第２の領域７１、７２でのライン間隔Ｄ４とが等しくなるように選択されてもよい。そうすると各領域及び領域境界を通じてライン間隔を均一とすることができる。
【００９２】
図１０Ｂは、第２の実施形態の一代替例を示す図である。基板上の複数の領域が露光ユニット１０により順次露光される。このとき基板支持部１１は、各領域８１、８２、８３に露光されるライン８４に垂直な方向８５へと露光ユニットに対して連続的に移動される。この実施例では各領域８１、８２、８３は隣接領域に重なり合っている。すなわち第２の領域８２は例えば、第１の領域８１及び第３の領域８３の双方と重なり合っている。各領域８１、８２、８３の相対位置は、１つの領域と他の領域との重畳部分において双方の領域のラインが重なるように定められる。例えば図１０Ｂに示されるように、第２の領域８２の部分８６とオーバーラップする第１の領域８１の対応部分８６においては第１の領域８１のライン８１ａ、８１ｂが第２の領域８２のライン８２ａ、８２ｂに重なっている。このため、第１乃至第３の領域８１、８２、８３を通じて重畳部分を含めてライン分布は均一となる。
【００９３】
一実施例においては、すべてのラインの露光量を等しくしてライン幅を等しくするために、各領域内の各ラインに投影される放射照度が各領域の非重畳部分よりも重畳部分で小さくなるようにする。例えば図１１Ａに示されるように、他の領域に重畳していない部位８７のラインへの放射照度Ｉ１を、他の領域に重畳する部位８６の放射照度Ｉ２の２倍としてもよい。
【００９４】
また、図１１Ｂに示されるように、重畳領域８６での放射照度Ｉが図７Ａと同様に徐々に低減されるようにラインごとの照度分布が設定されていてもよい。この場合、２つの領域の境界を横切るにつれて一方の領域でのラインへの放射照度の低減が他方の領域でのラインへの放射照度の増加により補償され、各ラインが受ける総露光量は均一となる。この実施例は、図１１Ａに示される照度プロファイルを実現することが必ずしも容易ではないという理由により望ましいといえる。すなわち例えば回折効果によりラインごとに照度をシャープに変化させることは必ずしも容易ではない。
【００９５】
なお、図１１Ａ及び図１１Ｂを参照して説明したラインの照度分布は、例えば図１０Ｂに示されるような露光ユニットに対する基板支持部の移動中の連続露光領域間の境界部分にのみ適用されるとは限らない。図９に示される実施例と同様に、露光ユニットに対する基板支持部の第１の移動及び第２の移動のそれぞれの間に露光される第１の領域群及び第２の領域群の境界部分に適用してもよい。
【００９６】
また、図１０Ｂに示される実施例は２つの露光領域が重なり合うものを示しているにすぎないが、基板上のすべてのラインが複数回の露光により露光されるようにしてもよい。例えば放射ビーム１２、１３のパルス間の露光ユニット１０に対する基板支持部１１の移動量が移動方向における露光領域幅の１／４に等しい場合には、各ラインの受ける総露光量は４回の連続露光の各々で受ける露光量の合計値となる。この場合、放射照度プロファイルは適宜調整されることが望ましい。
【００９７】
図１２及び図１３は本発明の第２の実施形態に係る実施例をそれぞれ示す図である。これらは、露光ユニット１０に対する基板支持部１１の第１の連続移動により基板に露光されたライン９４を有する第１の領域群９１、９２、９３と、露光ユニット１０に対する基板支持部１１の第２の連続移動により基板に露光されたライン９８を有する第２の領域群９５、９６、９７との結合を示す。図１２及び図１３に示される第１及び第２の領域群においては図１０Ｂを参照して説明したのと同様に各領域が互いに重ね合わされているが、図１０Ａを参照して説明したようにこれら領域群の一方または双方において１つの領域群に含まれる領域が互いにすぐ隣りに接するように配列されてもよい。
【００９８】
図１２に示されるように、第１の領域群９１、９２、９３は第２の領域群９５、９６、９７にちょうど隣りに接して配置されてもよい。このとき、第１の領域群９１、９２、９３のライン９４は第２の領域群９５、９６、９７に形成されるライン９８に位置合わせされていてもよい。
【００９９】
また、図１３に示されるように、第１の領域群９１、９２、９３は第２の領域群９５、９６、９７に重なるように配置されてもよい。このとき、図６Ｂを参照して第１の実施形態において説明したように１つの領域群で連続する領域が重なり合っていてもよい。
【０１００】
第１の実施形態において連続領域のオーバーラップに関連して説明した変形例は、露光ユニット１０に対して基板支持部１１を順次移動させて露光される複数の領域群の間のオーバーラップにも適用可能である。よって説明の繰り返しは省略する。
【０１０１】
上述の第１及び第２の実施形態では１つの露光シーケンスにおいて露光ユニットにより露光されるラインに平行または垂直な方向へと露光ユニットに対して基板をスキャンするシステムを説明しているが、本発明は基板に露光されるラインに対していかなる方向に基板がスキャンされるシステムとして実現することも可能である。特に、露光ユニットに対する基板の任意方向への移動は、基板に露光されるラインに平行な方向の成分と垂直な方向の成分とに分解することができる。このとき、ラインに平行な方向への移動量成分の大きさは、第１の実施形態において説明した方法で各ラインの必要露光量を満たすように選択されてもよい。同様に、基板に露光されるラインに垂直な方向への移動量成分の大きさは、第２の実施形態で説明した方法に相当する方法により選択されるてもよい。この場合、一の露光で露光されたラインに対して他の露光で露光されるラインの端部を位置合わせして露光してもよい。また、連続する露光間でライン間隔が一致するように露光してもよい。
【０１０２】
図１４は、第１の実施形態または第２の実施形態に使用しうる基板Ｗ上の複数領域への露光シーケンスを示す図である。図示されるように、露光ユニット１０に対して所定方向１００に基板Ｗが移動されるにつれて基板上の複数の領域が露光ユニット１０により露光され、基板Ｗ上の短冊状領域にラインが露光される。図示されるように、露光ユニット１０は、まず基板Ｗのどの部分も露光しない領域１０１を露光することから露光を開始する。次いで、一部分だけが基板Ｗ上にかかる領域１０２にラインを露光する。引き続いて基板Ｗ上の領域１０３、１０４、１０５、１０６を露光し、更に基板Ｗへの部分露光となる領域１０７、１０８を露光する。最後に完全に基板Ｗの領域外で１回露光が行われる。このように、この露光シーケンスは、露光ユニット１０による露光領域が基板Ｗに掛かる手前から開始され、基板Ｗ上で完全に短冊状の露光がなされて露光ユニット１０による露光領域が基板Ｗから再度外れるまで継続される。これにより、基板上への放射の投影の開始及び終了シーケンスの難しさを回避することができる。
【０１０３】
なお、領域１０１、１０９への露光は省略してもよい。この場合、露光ユニット１０による露光の較正用測定のために基板支持部１１にセンサを搭載してもよい。また、図１４においては隣接領域が重なり合っていないが、これは単にわかりやすく図示するためであって隣接領域が重なり合っていてもよい。
【０１０４】
図１５Ａ及び図１５Ｂは、第１の領域群１０１乃至１０９に隣接する第２の領域群の露光に関する実施例をそれぞれ示す図である。図１５Ａに示されるように、まず第１の領域群１０１乃至１０９が露光されると、第１の領域群１０１乃至１０９の露光中の基板移動方向に垂直な方向に基板Ｗは移動される。続いて、基板Ｗは、第１の領域群１０１乃至１０９の露光での移動方向１００に平行に移動される。このとき第２の領域群１１１乃至１１９を露光するために逆方向に移動される。移動方向を除き、第２の領域群１１１乃至１１９の露光は第１の領域群１０１乃至１０９の露光と同様に行われる。
【０１０５】
図１５Ｂは第２の領域群の露光の他の例を示す図である。この実施例では、第１の領域群１０１乃至１０９の最後の領域１０９の露光の完了後に、第２の領域群１１１乃至１１９の最初の領域１２１が第１の領域群１０１乃至１０９の最初の領域１０１にちょうど隣接するように第１の領域群の露光中の移動方向に垂直な方向に基板Ｗが移動される。その後基板Ｗは、第１の領域群１０１乃至１０９への露光と同方向に移動され、第２の領域群１１１乃至１１９に対して第１の領域群１０１乃至１０９と同様に露光がなされる。前述のように、図１５Ａ及び図１５Ｂでは第１及び第２の領域群が互いにちょうど隣接して露光されるように図示されているが、図１５Ａ及び図１５Ｂの露光シーケンスを第１及び第２の領域群が互いに重なり合うように用いることも可能である。
【０１０６】
図１４、図１５Ａ及ぶ図１５Ｂを参照して説明した露光シーケンスを用いることにより基板Ｗ全体に複数のラインが露光される。実際には１枚の基板に複数のデバイスが形成されることになる。通常は基板Ｗ上に形成される各デバイスに対応するパターン間に所定の間隙を有するように基板にパターンが露光されることが必要である。この間隙はアライメントマークを設けるために必要であるとともに、デバイス完成時の分離例えば基板のダイシングのために必要である。このためデバイス間にはラインが形成されていないことが望ましい。よって、図１４、図１５Ａ及ぶ図１５Ｂを参照して説明した露光シーケンスは、基板全体への露光の代わりに各デバイスに対応する領域への露光に使用されてもよい。しかし、上述のように基板全域にラインを露光した後にトリミング露光によりデバイス間となる領域を露光するほうが速い場合もありうる。この場合、デバイス間領域のラインパターンは除去されることになる。
【０１０７】
以上の説明により理解されるように、図５Ａ及び図５Ｂに示される露光ユニットを用いて基板全体または基板の必要領域に複数のラインを露光するために、隣接またはオーバーラップする複数回の露光が隣接またはオーバーラップする複数の列に対して行われる。各列内または各列間におけるオーバーラップは隣接領域間の接続（ステッチング）のために、例えば露光が繰り返されるときにラインが不連続になったりライン間隔が変化したりしないようにするために用いられている。ところがこれに限られず各列内または各列間におけるオーバーラップは露光ユニットの露光フィールド内の照度不均一性を補償するために使用されてもよい。
【０１０８】
例えば、図１６は露光ユニットの露光フィールド１３０を示す図である。図においては破線により露光フィールドが複数のサブセクション１３１に分割されている。露光フィールド等高線１３２、１３３、１３４の内側に各ラインの各領域におけるピーク放射照度が存在する。例えば等高線１３２はピーク放射照度の９０％の照度を示し、等高線１３３はピーク放射照度の５０％の照度を示し、等高線１３４はピーク放射照度の１０％の照度を示す。図示されるように、露光フィールド内の照度分布は実際にはかなり不均一である場合がある。
【０１０９】
一実施例として、各列における各露光のオーバーラップ及び各列間でのオーバーラップを大きくして複数回の露光を行うことにより不均一性を低減することができる。例えば、１つの列で連続する２回の露光を行う場合に、２番目の露光に対する最初の露光のオフセットを露光フィールドにおける１つのサブセクション１３１の高さＤ５に設定する。同様に、連続する列への露光の場合に、１つ目の列の露光に対する次の列の露光のオフセットを露光フィールドにおける１つのサブセクション１３１の幅Ｄ６に設定する。その結果、基板への露光が完了したときには、露光フィールドの１つのサブセクション１３１の大きさと同じ大きさである基板上の各部分は、露光フィールド内のすべてのサブセクションから露光を受けていることになる。よって、基板の各部分への総露光量は等しくなり、基板上での不均一性を改善することができる。
【０１１０】
なお、サブセクション１３１の大きさは、最小のオーバーラップ量により得られる各ライン幅方向における均一性を要求水準以上とするのに十分な程度に選択すればよい。オーバーラップ量を最小にするということは、基板全体の露光時間を最小化することに相当する。また、上述のようにオーバーラップ露光により露光量均一性を改善する手法を上述の第１及び第２の実施形態にも適用してもよい。
【０１１１】
ここでは特に光学的なリソグラフィを本発明に係る実施形態に適用したものを例として説明しているが、本発明は例えばインプリントリソグラフィなど文脈が許す限り他にも適用可能であり、光学的なリソグラフィに限られるものではない。インプリントリソグラフィでは、パターニング用デバイスのトポグラフィーが基板に生成されるパターンを決める。パターニング用デバイスのトポグラフィーが基板に塗布されているレジスト層に押し付けられ、電磁放射や熱、圧力、あるいはこれらの組み合わせによってレジストが硬化される。レジストが硬化されてから、パターニング用デバイスは、パターンが生成されたレジストから外されて外部に移動される。
【０１１２】
上述のように本発明の具体的な実施形態が説明されたが、本発明は上述の形式以外の形式でも実施可能であると理解されたい。例えば本発明は、上述の方法が記述された機械で読み取り可能な１以上の一連の指示を含むコンピュータプログラムの形式、またはこのようなコンピュータプログラムが記録された（半導体メモリや磁気・光ディスクなどの）データ記録媒体の形式をとってもよい。
【０１１３】
［結語］
本発明の種々の実施例を上に記載したが、それらはあくまでも例示であって、それらに限定されるものではない。本発明の精神と範囲に反することなく種々に変更することができるということは、関連技術の当業者には明らかなことである。本発明の範囲と精神は上記で述べた例示に限定されるものではなく、請求項とその均等物によってのみ定義されるものである。
【０１１４】
「課題を解決する手段」及び「要約書」の項ではなく「発明の詳細な説明」の項が請求項を解釈するのに使用されるように意図されている。「課題を解決する手段」及び「要約書」の欄は本発明者が考えた本発明の実施例の１つ以上を示すものであるが、すべてを説明するものではない。よって、本発明及び請求項をいかなる形にも限定するものではない。
【図面の簡単な説明】
【０１１５】
【図１】本発明の各実施形態に係る露光装置を示す図である。
【図２】本発明の各実施形態に係る露光装置を示す図である。
【図３】図２に示される本発明の実施形態により基板にパターンを転写する１つのモードを示す図である。
【図４】本発明の一実施形態に係る光学エンジンの配置を示す図である。
【図５Ａ】本発明の一実施形態に係り、リソグラフィ装置で用いられる露光ユニットの構成を示す側面図である。
【図５Ｂ】本発明の一実施形態に係り、リソグラフィ装置で用いられる露光ユニットの構成を示す平面図である。
【図６Ａ】本発明の一実施形態に係り、露光ユニットに対して基板支持部が単一方向に移動されるときに露光されるラインを有する基板上の領域の一例を示す図である。
【図６Ｂ】本発明の一実施形態に係り、露光ユニットに対して基板支持部が単一方向に移動されるときに露光されるラインを有する基板上の領域の他の例を示す図である。
【図７Ａ】本発明の一実施形態に係り、リソグラフィ装置により基板に露光されるラインに沿う方向の放射照度分布を示す図である。
【図７Ｂ】本発明の一実施形態に係り、２つの領域の境界においてリソグラフィ装置により基板に露光されるラインに沿う方向の放射照度分布を示す図である。
【図８】本発明の一実施形態に係り、露光ユニットに対して基板支持部が異なる複数の方向に移動されるときにリソグラフィ装置により露光される基板上の２組の領域の一例を示す図である。
【図９】本発明の一実施形態に係り、露光ユニットに対して基板支持部が異なる複数の方向に移動されるときにリソグラフィ装置により露光される基板上の２組の領域の他の例を示す図である。
【図１０Ａ】本発明の第２の実施形態に係り、露光ユニットに対して基板支持部が単一方向に移動されるときに露光されるラインを有する基板上の領域の一例を示す図である。
【図１０Ｂ】本発明の第２の実施形態に係り、露光ユニットに対して基板支持部が単一方向に移動されるときに露光されるラインを有する基板上の領域の他の例を示す図である。
【図１１Ａ】本発明の第２の実施形態に係り、リソグラフィ装置により露光される領域内の各ラインの露光放射照度分布の一例を示す図である。
【図１１Ｂ】本発明の第２の実施形態に係り、リソグラフィ装置により露光される領域内の各ラインの露光放射照度分布の他の例を示す図である。
【図１２】本発明の第２の実施形態に係り、露光ユニットに対して基板支持部が異なる複数の方向に移動されるときにリソグラフィ装置により露光される基板上の２組の領域の結合の一例を示す図である。
【図１３】本発明の第２の実施形態に係り、露光ユニットに対して基板支持部が異なる複数の方向に移動されるときにリソグラフィ装置により露光される基板上の２組の領域の結合の他の例を示す図である。
【図１４】本発明の一実施形態に係り、リソグラフィ装置に用いられる露光シーケンスを示す図である。
【図１５Ａ】本発明の一実施形態に係り、リソグラフィ装置に用いられる露光シーケンスを示す図である。
【図１５Ｂ】本発明の一実施形態に係り、リソグラフィ装置に用いられる露光シーケンスを示す図である。
【図１６】本発明の一実施形態に係り、露光ユニットにより生成される露光フィールド内の露光量分布を示す図である。
【符号の説明】
【０１１６】
１０  露光ユニット、  １１  基板支持部、  １２  放射ビーム、  １３  放射ビーム、  １５  調整ユニット、  １６  調整ユニット、  １７  アクチュエータ、  Ｂ  放射ビーム、  Ｃ  目標部分、  ＩＬ  照明光学系、  ＰＤ  パターニング用デバイス、  ＰＳ  投影光学系、  ＳＯ  放射源、  Ｗ  基板、  ＷＴ  基板テーブル。
【図１】
2007305987.tif 000004
【図２】
2007305987.tif 000005
【図３】
2007305987.tif 000006
【図４】
2007305987.tif 000007
【図５Ａ】
2007305987.tif 000008
【図５Ｂ】
2007305987.tif 000009
【図６Ａ】
2007305987.tif 000010
【図６Ｂ】
2007305987.tif 000011
【図７Ａ】
2007305987.tif 000012
【図７Ｂ】
2007305987.tif 000013
【図８】
2007305987.tif 000014
【図９】
2007305987.tif 000015
【図１０Ａ】
2007305987.tif 000016
【図１０Ｂ】
2007305987.tif 000017
【図１１Ａ】
2007305987.tif 000018
【図１１Ｂ】
2007305987.tif 000019
【図１２】
2007305987.tif 000020
【図１３】
2007305987.tif 000021
【図１４】
2007305987.tif 000022
【図１５Ａ】
2007305987.tif 000023
【図１５Ｂ】
2007305987.tif 000024
【図１６】
2007305987.tif 000025
【外国語明細書】
2007305987.tif 000026
2007305987.tif 000027
2007305987.tif 000028
2007305987.tif 000029
2007305987.tif 000030
2007305987.tif 000031
2007305987.tif 000032
2007305987.tif 000033
2007305987.tif 000034
2007305987.tif 000035
2007305987.tif 000036
2007305987.tif 000037
2007305987.tif 000038
2007305987.tif 000039
2007305987.tif 000040
2007305987.tif 000041
2007305987.tif 000042
2007305987.tif 000043
2007305987.tif 000044
2007305987.tif 000045
2007305987.tif 000046
2007305987.tif 000047
2007305987.tif 000048
2007305987.tif 000049
2007305987.tif 000050
2007305987.tif 000051
2007305987.tif 000052
2007305987.tif 000053
2007305987.tif 000054
2007305987.tif 000055
2007305987.tif 000056
2007305987.tif 000057
2007305987.tif 000058
2007305987.tif 000059
2007305987.tif 000060
2007305987.tif 000061
2007305987.tif 000062
2007305987.tif 000063
2007305987.tif 000064
2007305987.tif 000065
2007305987.tif 000066
2007305987.tif 000067
2007305987.tif 000068
2007305987.tif 000069
2007305987.tif 000070
2007305987.tif 000071
2007305987.tif 000072
2007305987.tif 000073
2007305987.tif 000074
2007305987.tif 000075
2007305987.tif 000076
2007305987.tif 000077
2007305987.tif 000078
2007305987.tif 000079